(57)【要約】【課題】  インダクタンス値を安定させ、Ｑ特性の劣化を抑え、電磁シールド効果を抑制してコイルアンテナからの送受信信号の透過性を向上させることができるコイルアンテナ装置を提供すること。【解決手段】  コイルアンテナ装置５は、磁心１１とこの磁心１１に巻回されたコイル１２とを備えたコイルアンテナ要素５１と、このコイルアンテナ要素５１の近傍に設置された金属筐体または金属メッキ付き樹脂筐体１４との間に可とう性を有しかつ自由に曲げることができる軟磁性体粉末と有機結合剤との混成物からなる磁性体シート１を配した。【選択図】      図１
2006217233.tif 000002
【特許請求の範囲】
【請求項１】
磁心とこの磁心に巻回されたコイルとを備えたコイルアンテナ要素と、このコイルアンテナ要素の近傍に設置された金属筐体または金属メッキ付き樹脂筐体との間に可とう性を有しかつ自由に曲げることができる第１の軟磁性体粉末と第１の有機結合剤との混成物からなる磁性体シートを配したことを特徴とするコイルアンテナ装置。
【請求項２】
請求項１に記載のコイルアンテナ装置において、前記第１の軟磁性体粉末は、高周波透磁率の大きな、鉄アルミ珪素合金、鉄ニッケル合金、鉄コバルト合金、鉄コバルトシリコン合金、鉄シリコンバナジューム合金、鉄コバルトボロン合金、コバルト系アモルファス合金、鉄系アモルファス合金、酸化物磁性粉末、カーボニル鉄、モリブデンパーマロイ、及び純鉄圧粉の軟磁性材料のいずれかまたはそれらの組み合わせからなり、
前記第１の有機結合剤は、熱可塑性樹脂或いはそれらの共重合体、熱硬化性樹脂、及び有機系難燃剤の内の少なくとも一種を含み、
前記熱可塑性樹脂は、ポリエステル系樹脂、ポリ塩化ビニル系樹脂、ポリビニルブチラール樹脂、ポリウレタン樹脂、セルロース系樹脂、ニトリルーブタジエン系ゴム、及びスチレンーブタジエン系ゴムの内の少なくとも一種を含み、
前記熱硬化性樹脂は、エポキシ樹脂、フェノール樹脂、アミド系樹脂、及びイミド系樹脂の内の少なくとも一種を含み、
前記有機系難燃剤は、ハロゲン化物及び臭素化ポリマーの内の少なくとも一種を含むことを特徴とするコイルアンテナ装置。
【請求項３】
請求項１に記載のコイルアンテナ装置において、前記コイルアンテナ要素の前記磁心はフェライトコアであることを特徴とするコイルアンテナ装置。
【請求項４】
請求項１に記載のコイルアンテナ装置において、前記コイルアンテナ要素の前記磁心はアモルファスコアであることを特徴とするコイルアンテナ装置。
【請求項５】
請求項１に記載のコイルアンテナ装置において、前記コイルアンテナ要素の前記磁心は、第２の軟磁性体粉末及び第２の有機結合剤とを備えた絶縁性軟磁性体からなり、
前記第２の軟磁性体粉末は、高周波透磁率の大きな、鉄アルミ珪素合金、鉄ニッケル合金、鉄コバルト合金、鉄ニッケルコバルト合金、鉄コバルトシリコン合金、鉄シリコンバナジューム合金、鉄コバルトボロン合金、コバルト系アモルファス合金、鉄系アモルファス合金、酸化物磁性粉末、カーボニル鉄、モリブデンパーマロイ、及び純鉄圧粉の軟磁性材料の内の少なくとも１種を含み、
前記第２の有機結合剤は、熱可塑性樹脂或いはそれらの共重合体、熱硬化性樹脂、及び有機系難燃剤の内の少なくとも一種を含み、
前記熱可塑性樹脂は、ポリエステル系樹脂、ポリ塩化ビニル系樹脂、ポリビニルプチラール樹脂、ポリウレタン樹脂、セルロース系樹脂、ニトリルーブタジエン系ゴム、及びスチレンーブタジエン系ゴムの内の少なくとも１種を含み、
前記熱硬化性樹脂は、エポキシ樹脂、フェノール樹脂、アミド系樹脂、及びイミド系樹脂の内の少なくとも１種を含み、
前記有機系難燃剤は、ハロゲン化物、及び臭素化ポリマーの内の少なくとも１種を含むことを特徴とするコイルアンテナ装置。
【請求項６】
請求項５に記載のコイルアンテナ装置において、前記第２の軟磁性体粉末が、偏平状および／または針状の粉末であることを特徴とするコイルアンテナ装置。
【請求項７】
請求項１から６の内のいずれか一つに記載のコイルアンテナ装置において、前記第１の軟磁性体粉末が、偏平状および／または針状の粉末であることを特徴とするコイルアンテナ装置。
【請求項８】
請求項５から７の内のいずれか一つに記載のコイルアンテナ装置において、前記第２の軟磁性体粉末が、酸化被膜及び第３の有機結合剤の内の少なくとも一方により絶縁コーティングされた粉末または、導電性のある粉末であることを特徴とするコイルアンテナ装置。
【請求項９】
請求項１から８の内のいずれか一つに記載のコイルアンテナ装置において、前記第１の軟磁性体粉末が、酸化被膜及び第３の有機結合剤の内の少なくとも一方により絶縁コーティングされた粉末または、導電性のある粉末であることを特徴とするコイルアンテナ装置。
【請求項１０】
請求項１から９の内のいずれか一つに記載のコイルアンテナ装置において、前記磁心は、互いに対向した面を備え、前記対向面の少なくとも一方面に設けられた誘電体層を有し、前記誘電体層は、誘電体粉末と第４の有機結合剤とを含むことを特徴とするコイルアンテナ装置。
【請求項１１】
請求項５から１０の内のいずれか一つに記載のコイルアンテナ装置において、前記絶縁性軟磁性体は、さらに、誘電体粉末を含むことを特徴とするコイルアンテナ装置。
【請求項１２】
請求項５から１１の内のいずれか一つに記載のコイルアンテナ装置において、前記コイルアンテナ装置は、可とう性を有することを特徴とするコイルアンテナ装置。
【請求項１３】
請求項１から１２内のいずれか一つに記載のコイルアンテナ装置であって、前記磁心は、偏平板形状を有することを特徴とするコイルアンテナ装置。
【発明の詳細な説明】
【技術分野】
【０００１】
本発明は、低中波帯の送信、及び受信に使用するコイルアンテナに関し特に１０ＫＨｚ〜５ＭＨｚの範囲内の周波数の無線信号の送信及び又は受信に際し、コイルアンテナ近傍に導電性及びまたは磁性を有する金属物が配置された装置、システム、端末などにおいても無線信号の送受信に適したコイルアンテナ装置に関する。
【０００２】
特に自動車用又は住宅用の携帯キーまたは電波時計に使用されるものである。
【背景技術】
【０００３】
近年、通信端末の小型化、多用途化が進み、低中波帯の電波を利用した端末が、多く見られる。例えば、特許文献１に開示された車両用キーレスシステムコイルアンテナなどがあり、低中波領域のコイルアンテナとしてフェライト材料のコア（焼結フェライト）を使用した、コイルアンテナが多く普及している。
【０００４】
図３は従来技術によるドアハンドルに設けられたコイルアンテナ装置を示す断面図である。図３に示すように自動車のドアハンドルの筐体（本体部）１３外側の空間側１４表面に金属メッキ１６が設けられた樹脂製ドアハンドル５０のこの内部１７にコイルアンテナ装置５１が実装されている。コイルアンテナ装置５１は、磁心部１１とその内側に設けられたアンテナ巻線部１２とを備えている。
【０００５】
磁心部１１としてフェライト材料のコア（焼結フェライト）を使用したコイルアンテナは、耐衝撃性（コア割れ等の不具合防止）、形状の多様化（異形状、指向性の多軸化、軽薄短小、大型化）が市場から要求されているが、耐衝撃、製作性が悪いなどの問題がおきている。
【０００６】
特に最近の自動車用リモートキー等はポケットにキーを入れたままでキーの開閉が可能で便利であるが、常時携帯（ポケット等）のその特徴性から薄型・軽量化が強く求められる一方、落下衝撃によるコア破損は、致命的な故障となるため耐衝撃性が必要となる。
【０００７】
これらの要求を満足するためにはフェライト等のセラミック材では薄型になるとコア割れを起こし、耐衝撃性が確保できず、アモルファスコアの様な、メタル系コアの積層も試みられているが、高価で又、製作性に於いても、硬度が高く加工が難しいためコストが高くなると言う問題がある。このため樹脂と複合したプラスチックフェライトなども検討されているが、ある程度、衝撃性、製作性については、改善はされるが、アンテナとしての特性を追求すると、フェライトの充填率を上げる必要があり、結局はアンテナ特性を満たすプラスチックフェライト材は焼結フェライトと同じように耐衝撃性が弱くなるという問題が発生している。
【０００８】
また、焼結フェライトコアは、長い形状や薄板形状になると、そりを生じプレス・焼結の後に平坦度を出すため機械加工の仕上げを必要として大きさに比例した大きなプレス機が必要となるが、本発明のアンテナは、大きなプレス機を必要とせず、フェライトでは、現実不可能な大きさのアンテナを作ることが可能となる。
【０００９】
また、これらリモートキーや電波時計は外観上のデザイン性から金属筐体の使用や樹脂筐体であっても金属メッキを施して豪華さをだすなど、使用されることが増えている。
【００１０】
これらの金属筐体（金属メッキ）は上記コイルアンテナの近傍にあって、コイルアンテナと干渉し、コイルアンテナのインダクタンス値を低下させ、そのことがアンテナとしての同調周波数を変動させてアンテナ特性を劣化させたり、あるいは金属筐体（金属メッキ）がコイルアンテナに干渉することで近傍金属に高周波電流が流れることでコイルのＱ特性が劣化しそのためにアンテナ感度が低下したり、あるいはコイルアンテナの送受信間に金属筐体（金属メッキ）が入ることで電磁シルードとなりアンテナの送受信を抑制したりしてコイルアンテナの特性を劣化させていた。
【特許文献１】特開２００３−２４９８１６号公報
【発明の開示】
【発明が解決しようとする課題】
【００１１】
そこで、本発明の技術的課題は、金属筐体や表面に金属めっき等の施された樹脂製筐体内においても、即ち、インダクタンス値を安定させ、Ｑ特性の劣化を抑え、電磁シールド効果を抑制してコイルアンテナからの送受信信号の透過性を向上させることができるコイルアンテナ装置を提供することにある。
【課題を解決するための手段】
【００１２】
本発明によれば、磁心とこの磁心に巻回されたコイルとを備えたコイルアンテナ要素と、このコイルアンテナ要素の近傍に設置された金属筐体または金属メッキ付き樹脂筐体との間に可とう性を有しかつ自由に曲げることができる第１の軟磁性体粉末と第１の有機結合剤との混成物からなる磁性体シートを配したことを特徴とするコイルアンテナ装置が得られる。
【００１３】
また、本発明によれば、前記コイルアンテナ装置において、前記第１の軟磁性体粉末は、高周波透磁率の大きな、鉄アルミ珪素合金（センダスト）、鉄ニッケル合金（パーマロイ）、鉄コバルト合金、鉄ニッケルコバルト合金、鉄コバルトシリコン合金、鉄シリコンバナジューム合金、鉄コバルトボロン合金、コバルト系アモルファス合金、鉄系アモルファス合金、酸化物磁性粉末（フェライト）、カーボニル鉄、モリブデンパーマロイ、及び純鉄圧粉の軟磁性材料のいずれかまたはそれらの組み合わせからなり、前記第１の有機結合剤は、熱可塑性樹脂或いはそれらの共重合体、熱硬化性樹脂、及び有機系難燃剤の内の少なくとも一種を含み、前記熱可塑性樹脂は、ポリエステル系樹脂、ポリ塩化ビニル系樹脂、ポリビニルブチラール樹脂、ポリウレタン樹脂、セルロース系樹脂、ニトリルーブタジエン系ゴム、及びスチレンーブタジエン系ゴムの内の少なくとも一種を含み、前記熱硬化性樹脂は、エポキシ樹脂、フェノール樹脂、アミド系樹脂、及びイミド系樹脂の内の少なくとも一種を含み、前記有機系難燃剤は、ハロゲン化物及び臭素化ポリマーの内の少なくとも一種を含むことを特徴とするコイルアンテナ装置が得られる。
【００１４】
また、本発明によれば、前記コイルアンテナ装置において、前記コイルアンテナ要素の前記磁心はフェライトコアであることを特徴とするコイルアンテナ装置が得られる。
【００１５】
また、本発明によれば、前記コイルアンテナ装置において、前記コイルアンテナ要素の前記磁心はアモルファスコアであることを特徴とするコイルアンテナ装置が得られる。
【００１６】
また、本発明によれば、前記コイルアンテナ装置において、前記コイルアンテナ要素の前記磁心は、第２の軟磁性体粉末及び第２の有機結合剤とを備えた絶縁性軟磁性体からなり、前記第２の軟磁性体粉末は、高周波透磁率の大きな、鉄アルミ珪素合金（センダスト）、鉄ニッケル合金（パーマロイ）、鉄コバルト合金、鉄ニッケルコバルト合金、鉄コバルトシリコン合金、鉄シリコンバナジューム合金、鉄コバルトボロン合金、コバルト系アモルファス合金、鉄系アモルファス合金、酸化物磁性粉末（フェライト）、カーボニル鉄、モリブデンパーマロイ、及び純鉄圧粉の軟磁性材料の内の少なくとも１種を含み、前記第２の有機結合剤は、熱可塑性樹脂或いはそれらの共重合体、熱硬化性樹脂、及び有機系難燃剤の内の少なくとも一種を含み、前記熱可塑性樹脂は、ポリエステル系樹脂、ポリ塩化ビニル系樹脂、ポリビニルプチラール樹脂、ポリウレタン樹脂、セルロース系樹脂、ニトリルーブタジエン系ゴム、及びスチレンーブタジエン系ゴムの内の少なくとも１種を含み、前記熱硬化性樹脂は、エポキシ樹脂、フェノール樹脂、アミド系樹脂、及びイミド系樹脂の内の少なくとも１種を含み、前記有機系難燃剤は、ハロゲン化物、及び臭素化ポリマーの内の少なくとも１種を含むことを特徴とするコイルアンテナ装置が得られる。
【００１７】
また、本発明によれば、前記コイルアンテナ装置において、前記第２の軟磁性体粉末が、偏平状および／または針状の粉末であることを特徴とするコイルアンテナ装置が得られる。
【００１８】
また、本発明によれば、前記いずれかのコイルアンテナ装置において、前記第１の軟磁性体粉末が、偏平状および／または針状の粉末であることを特徴とするコイルアンテナ装置が得られる。
【００１９】
また、本発明によれば、前記コイルアンテナ装置において、前記第２の軟磁性体粉末が、酸化被膜及び第３の有機結合剤の内の少なくとも一方により絶縁コーティングされた粉末または、導電性のある粉末であることを特徴とするコイルアンテナ装置が得られる。
【００２０】
また、本発明によれば、前記コイルアンテナ装置において、前記第２の軟磁性体粉末が、酸化被膜及び第３の有機結合剤の内の少なくとも一方により絶縁コーティングされた粉末または、導電性のある粉末であることを特徴とするコイルアンテナ装置が得られる。
【００２１】
また、本発明によれば、前記コイルアンテナ装置において、前記磁心は、互いに対向した面を備え、前記対向面の少なくとも一方面に設けられた誘電体層を有し、前記誘電体層は、誘電体粉末と第４の有機結合剤とを含むことを特徴とするコイルアンテナ装置が得られる。
【００２２】
また、本発明によれば、前記いずれか一つのコイルアンテナ装置において、前記絶縁性軟磁性体は、さらに、誘電体粉末を含むことを特徴とするコイルアンテナ装置。
【００２３】
また、本発明によれば、前記いずれか一つのコイルアンテナ装置において、前記コイルアンテナ装置は、可とう性を有することを特徴とするコイルアンテナ装置が得られる。
【００２４】
さらに、本発明によれば、コイルアンテナ装置であって、前記磁心は、偏平板形状を有することを特徴とするコイルアンテナ装置が得られる。
【００２５】
ここで、本発明において、第３及び第４の有機結合剤は、夫々第１又は第２の有機結合剤と同様に、熱可塑性樹脂或いはそれらの共重合体、熱硬化性樹脂、及び有機系難燃剤の内の少なくとも一種を含み、前記熱可塑性樹脂は、ポリエステル系樹脂、ポリ塩化ビニル系樹脂、ポリビニルブチラール樹脂、ポリウレタン樹脂、セルロース系樹脂、ニトリルーブタジエン系ゴム、及びスチレンーブタジエン系ゴムの内の少なくとも一種を含み、前記熱硬化性樹脂は、エポキシ樹脂、フェノール樹脂、アミド系樹脂、及びイミド系樹脂の内の少なくとも一種を含むことが好ましい。
【発明の効果】
【００２６】
本発明では、軟磁性体粉末と有機結合材としてエラストマーや、ブラストマーからなる磁性体シートをコイルアンテナと金属筐体（金属メッキ）間に挿入配置する事により、ヨーク効果によりインダクタンス値を安定させ、またコイルアンテナと金属筐体（金属メッキ）間の干渉を分離することでＱ特性の劣化を抑え、また金属筐体（金属メッキ）の空間インピーダンスに対する見かけ上のインピダーンスを上げることで電磁シールド効果を抑制してコイルアンテナからの送受信信号の透過性を向上させることができる。
【発明を実施するための最良の形態】
【００２７】
本発明についてさらに具体的に説明する。
【００２８】
本発明のコイルアンテナ装置は、磁心とこの磁心に巻回されたコイルとを備えたコイルアンテナ要素と、このコイルアンテナ要素の近傍に設置された金属筐体または金属メッキ付き樹脂筐体との間に可とう性を有しかつ自由に曲げることができる第１の軟磁性体粉末と第１の有機結合剤との混成物からなる磁性体シートを配した構成であり、さらに、筐体内に磁性体からなるヨークを備えても良い。
【００２９】
本発明の磁心は、３×１２×５０ｍｍの角板状の磁心に１２０Ｔのポリウレタン線を巻回してコイルアンテナ要素とする。磁心は、第２の軟磁性体粉末と第２の有機結合材とからなる混成物で可とう性がある。なお、可とう性を考慮しなければ、混成物以外でもフェライトコアやアモルファスコアを用いることもできる。
【００３０】
本発明における磁心に用いられる第２の軟磁性体粉末は、磁性シート用の第１の軟磁性粉末と同様に、鉄シリコンアルミ合金粉末（いわゆるセンダストと呼ばれるもの）を使用する。第１及び第２の軟磁性体粉末は他の粉末であってもよい。たとえば、軟磁性体粉末は、カーボニル鉄、酸化物磁性粉末（いわゆるフェライトとよばれるもの）、又は純鉄圧粉であってもよい。
【００３１】
また、本発明の第２の軟磁性体粉末は、鉄ニッケル合金（パーマロイ）、鉄コバルト合金、鉄コバルトシリコン合金、鉄シリコンバナジューム合金、鉄コバルトボロン合金、鉄ニッケルコバルト合金、コバルト系アモルファス合金、鉄系アモルファス合金、又はモリブデンパーマロイからなる粉末であってもよい。さらに、軟磁性体粉末は上述した粉末の組み合わせであってもよい。
【００３２】
本発明における第２の軟磁性体粉末は、扁平状の粉末を用いている。しかし、針状の粉末を用いることも、これらの粉末を合わせて使用することもできる。各粉末は５以上のアスペクト比を有し、且つ３５μｍの粒径を有する。
【００３３】
また、第２の軟磁性体粉末のそれぞれの表面に形成される絶縁体層は、非磁性体からなる。具体的には、絶縁体層は酸化膜であり、軟磁性体粉末をアニールすることにより形成される。しかし、絶縁体層を第３の有機結合剤で形成することとしてもよい。絶縁体層を第３の有機結合剤で形成する場合、当該第３の有機結合剤は混成物における第１及び第２の有機結合剤と同じであってもよいし、異なるものであってもよい。
【００３４】
尚、本発明の磁性シート用の第１の磁性粉末も第２の磁性粉末と同様なものを用いることができる。
【００３５】
本発明における第１及び第２の有機結合剤（混成物に含まれるもの）は、塩素化ポリエチレンであり、そこにチタネート系カップリング剤が添加されている。これに代えて、シラン系カップリング剤やアルミネート系カップリング剤を用いてもよいし、カップリング剤を用いなくても良い。
【００３６】
本発明において、混成物における第２の軟磁性体粉末の配合比率は８０重量％であり、第２の有機結合剤及びカップリング剤の総配合比率は２０重量％である。
【００３７】
本発明における磁性シートにも同様の比率で、第１の軟磁性体粉末、第１の有機結合剤及びカップリング剤を用いることができる。
【００３８】
なお、本発明の磁心実用に適するアンテナ特性を得るとともに磁心に可とう性を持たせるためには、混成物における第２の軟磁性体粉末の配合比率は６０重量％以上９５重量％以下であることが好ましく、また混成物における第２の有機結合剤の配合比率が５重量％以上４０重量％以下であることが好ましい。
【００３９】
カップリング剤を用いる場合カップリング剤の混成物における配合比率は５重量％以下とする。
【００４０】
本発明における磁性シートにも同様の比率で、第１の軟磁性体粉末、第１の有機結合剤及びカップリング剤を用いることができる。
【００４１】
具体的に上述の本発明によって作製された磁心は、ＪＩＳ  Ｋ６２５３に従い、タイプＡデュロメ−タを用いて測定した結果、磁心はいずれも６０以上のゴム硬度を有していた。また、ＪＩＳ  Ｋ６２６３に従って測定された引っ張り強さは３．８Ｍｐａであった。
【００４２】
また、本発明においては、磁心の対向面の少なくとも一方面に誘電体層を設けても良い。この誘電体層は、誘電体粉末と第４の有機結合剤とを含んで構成されている。誘電体粉末は、金属酸化物であっても、セラミックス粉末であってもよく、また、第４の有機結合剤は、第１，第２，第３の有機結合剤として示されたものと同様であるが、異なるものであってもよく、特に限定されない。
【００４３】
それでは、本発明の実施の形態について図面を参照しながら説明する。
【００４４】
図１は本発明の第１の実施の形態によるコイルアンテナ装置の構成を示す断面図である。図１を参照すると、本発明の第１の実施の形態によるコイルアンテナ装置５は、自動車のドアハンドル（外側表面に金属メッキ付の樹脂製ドアハンドル）１０内に実装されている。ドアハンドル１０は、空間側の筐体部１４と車体側の筐体部１５とを備えたハンドル本体（筐体）１５と、このハンドル本体１５内に配置されたコイルアンテナ装置５を備えている。
【００４５】
コイルアンテナ装置５は、先に詳しく説明した磁心からなる磁心（コア）部１１と、巻線部１２とを備えた従来技術によるアンテナコイル装置と同様のアンテナコイル要素と、コイルアンテナ要素５と金属メッキ１６付の空間側の筐体部１４との間に挿入された磁性体シート１を備えている。この際、磁性体シート１は、巻線部１２を避けて配置されている。
【００４６】
図２は本発明の第２の実施の形態によるコイルアンテナ装置の構成を示す断面図である。図２を参照すると、本発明の第２の実施の形態によるコイルアンテナ装置６は、第１の実施の形態と同様に、自動車のドアハンドル（外側表面に金属メッキ付の樹脂製ドアハンドル）１０内に実装されている。ドアハンドル１０は、空間側の筐体部１４と車体側の筐体部１５とを備えたハンドル本体（筐体）１５と、このハンドル本体１５内に配置されたコイルアンテナ装置６を備えている。コイルアンテナ装置６は、先に詳しく説明した磁心からなる磁心（コア）部１１と、巻線部１２とを備えた従来技術によるアンテナコイル装置と同様のアンテナコイル要素と、コイルアンテナ要素と金属メッキ１６付の空間側の筐体部１４との間に巻線部１２を避けて、配置された磁性シート１とを備えている。
【００４７】
本発明の第２の実施の形態によるコイルアンテナ装置６はさらに、筐体１３内を貫通して設けられたヨーク部７を備えている。巻線コイル３はヨーク部７を含んで巻線されている。
【００４８】
本発明の実施の形態によるコイルアンテナ装置を車両用キーレスシステムに実装して送信距離を比較した。
【００４９】
（比較例）
まず、比較のために、図３の従来技術による自動車のドアハンドル（外側表面に金属メッキ付の樹脂製ドアハンドル）にコイルアンテナを実装した。
【００５０】
前に詳しく説明した磁心（軟磁性体コア、５０×１２×３ｍｍ）を使用したコイルアンテナに１３０ＫＨｚ  １６Ｖｐｐのパルス信号を入力したときの、金属メッキなしの樹脂性ドアハンドルでは送信距離が、１３０ｃｍであったが金属メッキを施した樹脂ドアハンドルでは送信距離９０ｃｍと劣化した。
【００５１】
（本発明例１）
次に、図１のように本発明による磁性体シートをコイルアンテナ装置５と金属メッキ１６付ドアハンドルの間に挿入した。この際、磁性体シート１は巻線部１２を避けて配置した。磁性体シート１はたとえば透磁率６０以上、シートの厚み５０μｍ以上で、本実施の形態に使用する磁心と同じ磁性材を使用した。この磁性体シート１付コイルアンテナ装置の送信距離は９０ｃｍから１０５ｃｍに改善した。
【００５２】
（本発明例２）
図２のように、磁性体シート付コイルアンテナ装置５にさらにヨーク部７を追加したコイルアンテナ装置６を作製した。ヨーク部２はたとえば、コバルトアモルファスリボンを使用しその厚みは３０μｍ以下である。その際、巻線部１１はヨ−ク部２を含んで巻線した。この磁性体シート１及びヨーク２付コイルアンテナ装置６は送信距離１１０ｃｍに改善した。
【００５３】
このように本発明によるコイルアンテナ装置を使用することで、金属筐体や、金属メッキ部を有する低インピ−ダンスのシールド材がアンテナ近傍に装着されているキーレスシステムや電波時計、電子機器においてコイルアンテナの特性劣化を抑制可能なコイルアンテナが実現できる。
【産業上の利用可能性】
【００５４】
本発明に係るコイルアンテナ装置は、自動車用又は住宅用の携帯キーまたは電波時計のコイルアンテナ装置に最適である。
【図面の簡単な説明】
【００５５】
【図１】本発明の第１の実施の形態によるコイルアンテナを示す断面図である。
【図２】本発明の第２の実施の形態によるコイルアンテナ装置を示す断面図である。
【図３】従来技術によるコイルアンテナ装置を示す断面図である。
【符号の説明】
【００５６】
１    磁性シート
２    ヨーク部
５，６，５１    コイルアンテナ装置
１０，５０    ドアハンドル
１１    磁心（コア）部
１２    巻線部
１３    ドアハンドル本体（筐体）
１４    空間側筐体
１５    車体側筐体
１６    金属メッキ
１７    内部空間
１８，１９，２０    磁束
【図１】
2006217233.tif 000003
【図２】
2006217233.tif 000004
【図３】
2006217233.tif 000005